【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
対象の関心領域（ＲＯＩ）のための線量分布に関する少なくとも１つの線量特性を複数の部分区間に分割する工程であって、各部分区間は、他の部分区間の前記少なくとも１つの線量特性の値とは異なる前記少なくとも１つの線量特性の値を有し、かつ前記対象の前記ＲＯＩを複数のボクセルに分割することを特徴とする工程と、
前記少なくとも１つの線量特性の前記複数の部分区間に基づいて前記複数のボクセルを複数の異なるパーティションに区分けする工程であって、同じ部分区間に含まれる前記少なくとも１つの線量特性の値を有する全てのボクセルを同じパーティションの中に区分けすることを特徴とする工程と、
前記複数の異なるパーティションのそれぞれのために重みを設定する工程であって、前記重みは前記対象の前記ＲＯＩの前記パーティションの線量基準の相対的重要性を反映していることを特徴とする工程と、
前記複数の異なるパーティションのそれぞれのために、前記線量特性のそれぞれの部分区間に基づいて得ることができる線量分布のために最適化関数を指定する工程であって、それぞれの最適化関数は、各パーティションにおいて前記得ることができる線量分布をどのように得るかを決定することを特徴とする工程と、
前記それぞれのパーティションのための線量分布のために前記設定された重みおよび前記指定された最適化関数に基づいて放射線治療計画を作成する工程であって、前記放射線治療計画が前記対象の前記ＲＯＩに関し治療を実行するように放射線治療装置を制御するように構成される、工程
を含む、放射線治療のための放射線治療計画の作成方法。
【請求項２】
前記対象のための前記放射線治療計画で使用するための提案された線量分布を得る工程をさらに含み、前記提案された線量分布は前記対象の前記ＲＯＩのために少なくとも１つの所望の線量レベルを指定する、請求項１に記載の方法。
【請求項３】
前記少なくとも１つの線量特性のうちの１つは前記提案された線量分布から受け取った線量値であり、
前記提案された線量分布の前記線量値を複数の部分区間に分割する工程であって、各部分区間は０から最大線量の範囲の前記線量値の絶対値または相対値の全範囲の一部を包含し、前記最大線量は前記提案された線量分布内で最も高い線量であることを特徴とする工程
を含む、請求項２に記載の方法。
【請求項４】
前記複数の異なるパーティションのそれぞれのために、前記部分区間の前記それぞれの線量値に基づいて得ることができる線量分布のために最適化関数を指定する工程であって、指定された線量値よりも高い線量値を有するパーティションのための前記最適化関数をｍａｘおよび／またはｍｉｎ線量値ヒストグラム（ＤＶＨ）関数として指定し、かつ前記指定された線量値よりも低い線量値を有するパーティションのための前記最適化関数をｍａｘおよび／またはｍｉｎ参照線量関数として使用することを特徴とする工程
をさらに含む、請求項３に記載の方法。
【請求項５】
前記対象の前記ＲＯＩの前記少なくとも１つの線量特性のうちの１つは線量レベルを達成することができる確実性の確率分布であり、かつ
前記確率分布を複数の部分区間に分割する工程
を含む、請求項１に記載の方法。
【請求項６】
前記複数の異なるパーティションのそれぞれのために、高い確率を有する部分区間のためにより低い確率を有する部分区間のために設定された重みよりもより高い重みを設定する工程
をさらに含む、請求項５に記載の方法。
【請求項７】
前記複数の異なるパーティションのそれぞれのために、前記部分区間の前記それぞれの確率値に基づいて得ることができる線量分布のために最適化関数を指定する工程であって、低い確率を有するパーティションのための前記最適化関数は、提案された線量分布における対応するボクセルの数と同じまたは当量のボクセルの数のための線量分布を目指し、かつ高い確率を有するパーティション内の前記最適化関数は、各ボクセルのために前記提案された線量分布における前記それぞれのボクセルに対応する線量分布を目指すことを特徴とする工程
をさらに含む、請求項５に記載の方法。
【請求項８】
放射線治療のための放射線治療計画を作成するように構成された放射線治療システムであって、
少なくとも１つのプロセッサと、
放射線治療システムを
対象の関心領域（ＲＯＩ）のための線量分布に関する少なくとも１つの線量特性を複数の部分区間に分割する工程であって、各部分区間は、他の部分区間の前記少なくとも１つの線量特性の値とは異なる前記少なくとも１つの線量特性の値を有し、かつ前記対象の前記ＲＯＩを複数のボクセルに分割することを特徴とする工程、
少なくとも１つの線量特性の前記複数の部分区間に基づいて前記複数のボクセルを複数の異なるパーティションに区分けする工程であって、同じ部分区間に含まれる前記少なくとも１つの線量特性の値を有する全てのボクセルを同じパーティションの中に区分けする工程、
複数の異なるパーティションのそれぞれのために重みを設定する工程であって、前記重みは前記対象の前記ＲＯＩの前記パーティションの線量基準の相対的重要性を反映していることを特徴とする工程、
複数の異なるパーティションのそれぞれのために、前記線量特性のそれぞれの部分区間に基づいて得ることができる線量分布のために最適化関数を指定する工程であって、それぞれの最適化関数は各パーティションにおいて前記得ることができる線量分布をどのように得るかを決定することを特徴とする工程、および
それぞれのパーティションのための線量分布のために前記設定された重みおよび前記指定された最適化関数に基づいて前記放射線治療計画を作成する工程であって、前記放射線治療計画が前記対象の前記ＲＯＩに関し治療を実行するように放射線治療装置を制御するように構成される、工程
を行うように動作可能にする、前記少なくとも１つのプロセッサによって実行可能な命令を含む少なくとも１つのメモリと
を備える放射線治療システム。
【請求項９】
前記少なくとも１つのメモリは、前記放射線治療システムを
前記対象のための前記放射線治療計画で使用するための提案された線量分布を得る工程であって、前記提案された線量分布は前記対象の前記ＲＯＩのために少なくとも１つの所望の線量レベルを指定することを特徴とする工程
を行うように動作可能にする、前記少なくとも１つのプロセッサによって実行可能な命令を含む、
請求項８に記載の放射線治療システム。
【請求項１０】
前記少なくとも１つの線量特性のうちの１つは前記提案された線量分布から受け取った線量値であり、かつ前記少なくとも１つのメモリは、前記放射線治療システムを
前記提案された線量分布の前記線量値を複数の部分区間に分割する工程であって、各部分区間は０から最大線量の範囲の絶対もしくは相対線量値の全範囲の一部を包含し、かつ前記最大線量は前記提案された線量分布内で最も高い線量であることを特徴とする工程
を行うように動作可能にする、前記少なくとも１つのプロセッサによって実行可能な命令を含む、
請求項９に記載の放射線治療システム。
【請求項１１】
前記少なくとも１つのメモリは、前記放射線治療システムを
前記複数の異なるパーティションのそれぞれのために、前記部分区間の前記それぞれの線量値に基づいて得ることができる線量分布のために最適化関数を指定する工程であって、指定された線量値よりも高い線量値を有するパーティションのための前記最適化関数をｍａｘおよび／またはｍｉｎ線量値ヒストグラム（ＤＶＨ）関数として指定し、かつ前記指定された線量値よりも低い線量値を有するパーティションのための前記最適化関数をｍａｘおよび／またはｍｉｎ参照線量関数として指定することを特徴とする工程
を行うように動作可能にする、前記少なくとも１つのプロセッサによって実行可能な命令を含む、
請求項１０に記載の放射線治療システム。
【請求項１２】
前記対象の前記ＲＯＩの前記少なくとも１つの線量特性のうちの１つは線量レベルを達成することができる確実性の確率分布であり、かつ前記少なくとも１つのメモリは、前記放射線治療システムを
前記確率分布を複数の部分区間に分割する
ように動作可能にする、前記少なくとも１つのプロセッサによって実行可能な命令を含む、
請求項８に記載の放射線治療システム。
【請求項１３】
前記少なくとも１つのメモリは、前記放射線治療システムを
前記複数の異なるパーティションのそれぞれのために、高い確率を有する部分区間のためにより低い確率を有する部分区間のために設定された重量よりも高い重みを設定する
ように動作可能にする、前記少なくとも１つのプロセッサによって実行可能な命令を含む、
請求項１２に記載の放射線治療システム。
【請求項１４】
前記少なくとも１つのメモリは、前記放射線治療システムを
前記複数の異なるパーティションのそれぞれのために、前記部分区間の前記それぞれの確率値に基づいて得ることができる線量分布のために最適化関数を指定する工程であって、低い確率を有するパーティションのための前記最適化関数は、提案された線量分布における対応するボクセルの数と同じまたは当量のボクセルの数のための線量分布を目指し、かつ高い確率を有するパーティション内の前記最適化関数は、各ボクセルのために前記提案された線量分布における前記それぞれのボクセルに対応する線量分布を目指すことを特徴とする工程
を行うように動作可能にする、前記少なくとも１つのプロセッサによって実行可能な命令を含む、
請求項１２または１３に記載の放射線治療システム。
【請求項１５】
プロセッサで実行された場合に前記プロセッサに請求項１に記載の方法を行わせる命令を含むコンピュータプログラムをエンコードした非一時的な記録媒体。